(57)【要約】【課題】本発明の表示方法は、現在のレベルが最小、あるいは最大になっているということを容易に認知できるようにする表示方法を提供するものである。【解決手段】本発明に係る表示方法は、音量や機能の効果レベルを、ランプやＬＥＤなどの表示素子の点灯位置で表現する表示方法であって、レベルが最小、あるいは最大になっている場合と、それ以外の場合とで、点灯あるいは点滅する表示素子の数を変えることを特徴とする表示方法である。【選択図】図１
2013134443.tif 000002
【特許請求の範囲】
【請求項１】
音量や機能の効果レベルをランプやＬＥＤなどの表示素子の点灯位置で表現する表示方法であって、レベルが最小、あるいは最大になっている場合とそれ以外の場合とで、点灯あるいは点滅する表示素子の数を変えることを特徴とする表示方法。
【請求項２】
一つ以上の機能の状態を表示する複数のランプやＬＥＤなどの表示素子を横一列に配置し、音量や機能の効果レベルを調整する操作をした時にのみ、一定時間そのレベルを表示することを特徴とする請求項１記載の表示方法。
【発明の詳細な説明】
【技術分野】
【０００１】
本発明は、音量や機能の効果レベルをランプやＬＥＤなどの表示素子の点灯位置で表現する表示方法に関するものである。
【背景技術】
【０００２】
音量や機能の効果レベルを数字表示可能なＬＥＤやＬＣＤなどを用いることなく、ランプやＬＥＤなどの表示素子の点灯位置で表現する表示方法は、既に音響機器などにも広く採用されている。
【０００３】
たとえば、横一列に配置された表示素子にて音量をバー表示することは一般的である（特許文献１参照）。
【０００４】
また、実際の変化ステップよりも少ない数の表示素子で、音量の大まかな位置を表示する方法も広く用いられている。そのような中で、レベルが変化している間は表示素子の一個のみを点滅表示させ、レベル変化が終了した後はその表示素子を連続点灯表示させることで、実際にレベルが変化中か否かを容易に判断できるようにしたものもある（例えば、特許文献２参照）。
【先行技術文献】
【特許文献】
【０００５】
【特許文献１】特開昭５６−６２４２２号公報
【特許文献２】特公平６−６４０９２号公報
【発明の概要】
【発明が解決しようとする課題】
【０００６】
しかしながら、ランプやＬＥＤなどの表示素子を用いたレベルの表示方法では、その表示素子の位置でレベルの大小値を判断するため、表示素子を搭載する機器から離れた場所からリモコンを用いて操作すると、その表示素子の点灯位置が判断し辛く、特にレベルが最小、最大になった際にレベルがそれ以上変化しなくなるために、表示も変化せず、操作を受け付けなくなったと誤判断するという課題がある。
【０００７】
そこで、本発明は、上記課題を解決すべく、現在のレベルが最小、あるいは最大になっていることを容易に認知できるようにするものである。
【課題を解決するための手段】
【０００８】
上記目的を達成するために、本発明の表示方法は、レベルが最小、あるいは最大になっている場合とそれ以外の場合とで、点灯あるいは点滅する表示素子の数を変えることを特徴としたものである。これにより、現在のレベルが最小、あるいは最大になっていることを容易に認知できる。
【発明の効果】
【０００９】
このようにすることで、点灯、点滅している表示素子の位置が判断しにくい場合にも、レベルが最小、あるいは最大になっていることが容易に認知でき、操作しても表示素子の位置に変化が無いために操作が受け付けられていないのではないかという不安を与えることが無い。
【図面の簡単な説明】
【００１０】
【図１】実施の形態１の表示例１を示す図
【図２】実施の形態１の表示例２を示す図
【図３】実施の形態２の表示例を示す図
【図４】一般的な従来の表示例を示す図
【発明を実施するための形態】
【００１１】
以下に、本発明の実施の形態について、図面を参照しながら説明する。
【００１２】
（実施の形態１）
先ず、比較のため、一般的な表示方法を従来例として図４を用いて説明する。ここでは、音量を１〜１０段階で表示するものとして説明する。１〜１０の各音量に対応するＬ１〜Ｌ１０の１０個の表示素子があり、いずれかの１個が点灯することで現在の音量表示し、左端の位置が「１」、右端の位置が「１０」を表している。
【００１３】
この時、１〜１０のどの音量においても１０個の表示素子の内、いずれかの１個のみが点灯するため、表示素子の位置関係を確認し、一番右端の表示素子が点灯していることを認識できなければ、音量が最大の「１０」になっていることがわからない。そのため、例えば最大音量である「１０」を表示中に更に音量を上げる操作をしても表示が変化せず、操作を受付けたのかどうかがわからず、不安になる。最小の音量「１」を表示中に更に音量を下げる操作をしても同じである。
【００１４】
次に、図１を用いて、実施の形態１での表示例について説明する。先述の従来例と同様、音量を１〜１０段階で表示するものとして説明する。
【００１５】
本実施の形態では、１〜１０の各音量を表示するために、Ｌ１〜Ｌ９の９個の表示素子を使用している。先ず、最小の音量である「１」では、左端の１個の表示素子Ｌ１が点灯する。レベルを上げる操作をしてレベルを変化させると、「２」のレベルから「９」のレベルまでは、隣り合う２つの表示素子が同時に点灯する。例えば、「２」の音量では、Ｌ１とＬ２の２つの表示素子が点灯し、「３」の音量ではＬ２とＬ３の２つの表示素子が点灯する。
【００１６】
音量が最大になり「１０」を表示する場合は、右端の表示素子Ｌ９が１個だけ点灯する。
【００１７】
従って、もしも表示素子の位置関係や一番端の表示素子が点灯していることを認識できなくても、点灯している表示素子の数が１個であれば最大の音量「１０」もしくは最小の音量「１」であることが認識できる。例えば最大の音量である「１０」を表示中に更に音量を上げる操作をしても表示は変化しないが、音量が既に最大の「１０」になっていることが認識できるため、それ以上音量を上げることができないことも明白で、不安になることはない。最小の音量である「１」を表示中に更に音量を下げる操作をしても同じである。
【００１８】
このように、本実施の形態によれば、点灯している表示素子の位置が判断しにくい場合にも、音量が最小、あるいは最大になっていることが容易に認知でき、操作しても表示素子の位置に変化が無いために操作が受け付けられていないのではないかという不安を与えることが無い。
【００１９】
また、１〜１０の１０段階の音量を９個の表示素子で表示できるため、表示素子を節約することもできるという効果もある。
【００２０】
更に、本実施の形態では、１〜１０の各音量を表示するために、Ｌ１〜Ｌ９の９個の表示素子を使用しているが、図２に示すようにより多くの、例えば、１〜２０の音量ステップをＬ１〜Ｌ７の少ない表示素子で表現する場合においても同様で、音量が最小と最大のときのみＬ１、またはＬ７の１個の表示素子のみを点灯させ、それ以外、例えば、音量が「２」〜「４」の時にはＬ１とＬ２の２個の表示素子を点灯させることで同様の効果を得ることができる。
【００２１】
（実施の形態２）
図３を用いて実施の形態２での表示例について説明する。
【００２２】
ここでは、オーディオ機器の入力セレクタ機能において、現在選択されている入力を表示するためにＬ１〜Ｌ４の４個の表示素子が使われ、それらの表示素子は一列に並んで配置されているものとする。また、この表示素子はサブウーハーレベルを表示する場合にも共用される。
【００２３】
例えば、現在「ＣＤ」入力が選択されている場合は、Ｌ２の表示素子のみが点灯している。
【００２４】
そこで、サブウーハーレベルが調整された場合、その操作により、上記Ｌ１〜Ｌ４の表示素子は、その機能の効果レベルを表示するために使用されるようになる。
【００２５】
これら４個の表示素子を用いて、効果レベルの最小のレベル「１」から、最大のレベル「５」までの５段階のレベルを表示するが、その際、最小のレベル「１」は左端のＬ１の表示素子のみを点滅させる。サブウーハーレベルを調整し「２」のレベル、「３」のレベルに変更した場合は、「２」のレベルではＬ１とＬ２の表示素子を同時に点滅させ、「３」のレベルではＬ２とＬ３の表示素子を同時に点滅させる。最大のレベル「５」でＬ４の表示素子のみが点滅する。
【００２６】
従って、もしも表示素子の位置関係や一番端の表示素子が点滅していることを認識できなくても、点滅している表示素子の数が１個であれば最小のレベル「１」、もしくは最大のレベル「５」であることが認識できる。例えば最大のレベルである「５」のレベルを表示中に更にレベルを上げる操作をしても表示は変化しないが、レベルが既に最大の「５」のレベルになっていることが認識できるため、それ以上レベルを上げることができないことも明白で、不安になることはない。最小のレベルである「１」のレベルを表示中に更にレベルを下げる操作をしても同じである。
【００２７】
サブウーハーレベル調整後、一定時間が経過すれば、これらの表示素子は、現在選択されている入力セレクタを示す通常の表示に戻る。
【００２８】
このように、本実施例によれば、点滅している表示素子の位置が判断しにくい場合にも、レベルが最小、あるいは最大になっていることが容易に認知でき、操作しても表示素子の位置に変化が無いために操作が受け付けられていないのではないかという不安を与えることが無い。
【産業上の利用可能性】
【００２９】
本発明は、点灯、点滅している表示素子の位置が判断しにくい場合にも、レベルが最小、あるいは最大になっていることが容易に認知でき、操作しても表示素子の位置に変化が無いために操作が受け付けられていないのではないかという不安を与えることが無い。
そのため、本発明は、複数のステップに調整可能なレベル調整機能の表示用途に適用できる。
【符号の説明】
【００３０】
Ｌ１〜Ｌ１０  表示素子
【図１】
2013134443.tif 000003
【図２】
2013134443.tif 000004
【図３】
2013134443.tif 000005
【図４】
2013134443.tif 000006